(57)【要約】【課題】  パイプの回動操作を必要とせず、且つ、パイプが不測に外れる危険もない、実用的なパイプ連結構造を提供する。【解決手段】  内側パイプ６の外周面には係合受部１７が配設される。外側パイプ１１には工具挿通孔２８と弾性を有するロックアーム１８が配設される。該ロックアーム１８は、前記係合受部１７に係合して前記両パイプ６，１１を抜け止め固定するロック部２３と、前記工具挿通孔２８内に突出する解除操作部２４を備える。前記工具挿通孔２８に棒状工具３２を挿通すると、前記解除操作部２４が押されて前記係合受部１７に対する前記ロック部２３の係合状態が解除される。【選択図】    図３
2010078138.tif 000002
【特許請求の範囲】
【請求項１】
外側パイプ（１１）の端部（１１ｆ）内に内側パイプ（６）の端部（６ｒ）を嵌め込んで抜け止め固定するパイプ連結構造（１０）であって、前記内側パイプ（６）の外周面には係合受部（１７，５６）が配設され、前記外側パイプ（１１）には工具挿通孔（２８，４４，５７，７０，８６）と弾性を有するロックアーム（１８，３７，４７，６０，８０，９０）とが配設され、該ロックアーム（１８，３７，４７，６０，８０，９０）は、前記両パイプ（６，１１）の嵌め込み時に前記内側パイプ（６）に押されて逃がされるとともに前記弾性により前記係合受部（１７，５６）に係合して前記両パイプ（６，１１）を抜け止め固定するロック部（２３，４０，５０，６５，８３，９５）と、前記工具挿通孔（２８，４４，５７，７０，８６）内に突出する解除操作部（２４，４２，５２，６６，８５，９７）を備え、前記工具挿通孔（２８，４４，５７，８６）に挿通される棒状工具（３２）により前記解除操作部（２４，４２，５２，６６，８５，９７）が押されて前記係合受部（１７，５６）に対する前記ロック部（２３，４０，５０，６５，８３，９５）の係合状態が解除される、パイプ連結構造。
【請求項２】
前記工具挿通孔（２８，４４，５７，７０，８６）への前記棒状工具（３２）の挿通により、前記係合受部（１７，５６）に対する前記ロック部（２３，４０，５０，６５，８３，９５）の係合状態が解除された状態において、前記ロックアーム（１８，３７，４７，６０，８０，９０）の前記弾性により前記解除操作部（２４，４２，５２，６６，８５，９７）と前記工具挿通孔（２８，４２，５２，７０，８６）の内面（３１，４６，５９，７２，８８）との間で前記棒状工具（３２）が手放し状態で保持される、請求項１に記載のパイプ連結構造。
【請求項３】
前記外側パイプ（１１）の内面に当接して抜け止め固定状態における前記両パイプ（６，１１）間の径方向の遊びをなくする楔状突起（１５）が前記内側パイプ（６）の外周面に配設されている、請求項１又は２に記載のパイプ連結構造。
【請求項４】
前記両パイプ（６，１１）の間に、前記内側パイプ（６）を反嵌め込み方向に付勢して、抜け止め固定状態における前記両パイプ（６，１１）間の軸線（Ｘ）方向の遊びをなくする弾性押し返し部（３３）が配設されている、請求項１，２又は３に記載のパイプ連結構造。
【請求項５】
前記外側パイプ（１１）の内周面に軸線（Ｘ）方向の案内溝（２０）が形成され、前記内側パイプ（６）の外周面に前記案内溝（２０）に適合する凸条（１６）が形成され、該凸条（１６）の嵌め込み方向の先端部が傾斜面（３４）とされ、前記案内溝（２０）の奥壁部（３３）が前記傾斜面（３４）を押し返す前記弾性押し返し部とされている、請求項４に記載のパイプ連結構造。
【請求項６】
前記ロックアーム（１８）は、前記ロック部（２３）と前記解除操作部（２４）の間に、前記外側パイプ（１１）に回動自在に支持される枢支軸部（２５）を備え、前記ロック部（２３）を前記係合受部（１７）との係合位置へと弾性復帰させる弾性復帰アーム部（２６）が前記枢支軸部（２５）から延び出している、請求項１乃至５のいずれか一項に記載のパイプ連結構造。
【請求項７】
前記ロックアーム（３７，４７）は、前記外側パイプ（１１）に片持ち状に支持される片持ち支持部（３９，４９）を一端部側に備え、他端部が前記ロック部（４０，５０）とされ、前記片持ち支持部（３９，４９）と前記ロック部（４０，５０）との間に、弾性部（４１，５１）と前記解除操作部（４２，５２）を備えている、請求項１乃至５のいずれか一項に記載のパイプ連結構造。
【請求項８】
前記ロックアーム（６０）は、二本の腕部（６２，６３）の間に弾性折り返し部（６４）を有するＵ字状又はＶ字状に形成され、一方の腕部（６２）が前記外側パイプ（１１）に支持され、他方の腕部（６３）の端部が前記ロック部（６５）とされ、前記弾性折り返し部（６４）と前記ロック部（６５）との間に前記解除操作部（６６）を備えている、請求項１乃至５のいずれか一項に記載のパイプ連結構造。
【請求項９】
前記ロックアーム（１８，３７，４７，６０，９０）が、前記外側パイプ（１１）に対して着脱可能とされている、請求項１乃至８のいずれか一項に記載のパイプ連結構造。
【請求項１０】
前記ロックアームが、前記外側パイプ（１１）と一体に形成された一体ロックアーム（８０）であり、前記外側パイプ（１１）には、前記一体ロックアーム（８０）に代わる交換ロックアーム（９０）を取り付けるための取付部（９１）が形成されている、請求項１乃至８のいずれか一項に記載のパイプ連結構造。
【発明の詳細な説明】
【技術分野】
【０００１】
本発明は、パイプ連結構造に関する。
【背景技術】
【０００２】
携帯式送風作業機として、落ち葉やごみ等の寄せ集め作業を効率的に行うのに適するパワーブロワが知られている。該パワーブロワは、内燃エンジン等の原動機と、該原動機で駆動される遠心式送風機を備える。該遠心式送風機のケーシングには吐風口が開口形成され、該吐風口には、適宜の長さの吐風パイプが取外し可能に連結される。
【０００３】
前記吐風口に対する前記吐風パイプの連結構造に適用可能な技術として、例えば、特許文献１〜６に記載されているように、種々の態様のものが公知となっている。
【特許文献１】特許第３５１９０２１号公報
【特許文献２】実公昭４２−１３８８１号公報
【特許文献３】実公昭４２−８２９７号公報
【特許文献４】実開昭６３−４２３６５号公報
【特許文献５】米国特許第６６４０３８４号公報
【特許文献６】特開２００６−３４６８４号公報
【発明の開示】
【発明が解決しようとする課題】
【０００４】
前記吐風口に対する前記吐風パイプの連結構造は、次のような条件を満たすことが望まれる。
【０００５】
まず、前記吐風パイプの連結及び固定作業が容易に行える態様が好ましい。特に、前記吐風パイプの回動操作を必要としない連結方法が好ましい。前記吐風パイプは太く掴みにくいので、その回動操作は煩雑だからである。前記吐風パイプが長尺な場合には、その回動操作は一層困難なものとなる。
【０００６】
一方、前記吐風パイプの取り外しは、工具を用いて意図的に行わなければなし得ない態様が好ましい。送風作業中には前記吐風口の奥で送風ファンが高速回転している。このため、前記吐風パイプが不測に外れたりすると危険だからである。この要請は、近時の安全規制にも合致する。
【０００７】
さらに、吐風パイプ固定用のねじ等を別途に必要としない態様が好ましい。固定用ねじの紛失や付け忘れ等の問題があり、さらに、ねじ類の締緩操作は面倒だからである。
【０００８】
しかしながら、従来公知の連結構造は、前記条件の全てを満足するには至っていない。
【０００９】
本発明は、前記の如き事情を契機としてなされたもので、前記条件の全てを満たし、且つ、実用性の高いパイプ連結構造を提案しようとするものである。
【課題を解決するための手段】
【００１０】
前記課題を解決するため、本発明に係るパイプ連結構造は、外側パイプの端部内に内側パイプの端部を嵌め込んで抜け止め固定するパイプ連結構造であって、前記内側パイプの外周面には係合受部が配設され、前記外側パイプには工具挿通孔と弾性を有するロックアームとが配設され、該ロックアームは、前記両パイプの嵌め込み時に前記内側パイプに押されて逃がされるとともに前記弾性により前記係合受部に係合して前記両パイプを抜け止め固定するロック部と、前記工具挿通孔内に突出する解除操作部を備え、前記工具挿通孔に挿通される棒状工具により前記解除操作部が押されて前記係合受部に対する前記ロック部の係合状態が解除されることを特徴とする（請求項１）。
【００１１】
本発明において、前記両パイプの連結作業は、次のように行われる。前記外側パイプの端部内に前記内側パイプの端部を軸線方向に嵌め込む。嵌め込み過程において、前記内側パイプは、前記ロックアームの前記ロック部を押し退けながら前記外側パイプの内奥へ向かって移動する。前記係合受部が前記ロック部の位置まで来ると、前記ロックアームの弾性により前記ロック部が前記係合受部に係合する。これにより、前記内側パイプが前記外側パイプに対して抜け止め固定される。
【００１２】
前記内側パイプの取り外し作業は、次のように行われる。ねじ回し等の棒状工具を前記工具挿通孔に挿し込む。これにより、前記棒状工具で前記解除操作部が押されて、前記係合受部に対する前記ロック部の係合状態が解除される。そこで、前記外側パイプから前記内側パイプを引き抜く。
【００１３】
本発明によれば、前記両パイプを軸線方向に嵌め込むだけで、それら相互の連結及び抜け止め固定が完了する。よって、連結作業が容易である。
【００１４】
また、前記内側パイプの取り外しは、工具を用いて意図的に行わなければなし得ない。よって、前記内側パイプが不測に外れる心配がない。しかも、棒状工具を前記工具挿通孔に挿し込むだけでロック状態が解除されるので、解除時の操作性もよい。
【００１５】
さらに、前記内側パイプの抜け止め固定にねじ類は不要である。よって、ねじ類の紛失や付け忘れ等の問題が全くない。
【００１６】
好適な実施の一形態として、前記工具挿通孔への前記棒状工具の挿通により、前記係合受部に対する前記ロック部の係合状態が解除された状態において、前記ロックアームの前記弾性により前記解除操作部と前記工具挿通孔の内面との間で前記棒状工具が手放し状態で保持される態様とすることもできる（請求項２）。この実施の形態によれば、ロック状態が解除された状態で、作業者の両手が空くので、前記内側パイプの抜き取りが容易且つ確実に行える。
【００１７】
好適な実施の一形態として、前記外側パイプの内面に当接して抜け止め固定状態における前記両パイプ間の径方向の遊びをなくする楔状突起が前記内側パイプの外周面に配設される態様とすることもできる（請求項３）。この実施の形態によれば、抜け止め固定状態において前記両パイプ間の径方向のガタつきがなくなり、好適である。
【００１８】
好適な実施の一形態として、前記両パイプの間に、前記内側パイプを反嵌め込み方向に付勢して、抜け止め固定状態における前記両パイプ間の軸線方向の遊びをなくする弾性押し返し部が配設されている態様とすることもできる（請求項４）。この実施の形態によれば、抜け止め固定状態において、前記両パイプ間に軸線方向のガタつきがなくなり、好適である。
【００１９】
好適な実施の一形態として、前記外側パイプの内周面に軸線方向の案内溝が形成され、前記内側パイプの外周面に前記案内溝に適合する凸条が形成され、該凸条の嵌め込み方向の先端部が傾斜面とされ、前記案内溝の奥壁部が前記傾斜面を押し返す前記弾性押し返し部とされる態様とすることもできる（請求項５）。
【００２０】
前記ロックアームの具体例として種々の態様が考えられるが、例えば、前記ロックアームは、前記ロック部と前記解除操作部の間に、前記外側パイプに回動自在に支持される枢支軸部を備え、前記ロック部を前記係合受部との係合位置へと弾性復帰させる弾性復帰アーム部が前記枢支軸部から延び出している態様とすることができる（請求項６）。
【００２１】
前記ロックアームの他の具体例として、前記外側パイプに片持ち状に支持される片持ち支持部を一端部側に備え、他端部が前記ロック部とされ、前記片持ち支持部と前記ロック部との間に、弾性部と前記解除操作部を備える態様とすることもできる（請求項７）。
【００２２】
前記ロックアームのさらに他の具体例として、二本の腕部の間に弾性折り返し部を有するＵ字状又はＶ字状のものを挙げることもできる。この場合、一方の腕部が前記外側パイプに支持され、他方の腕部の端部が前記ロック部とされ、前記弾性折り返し部と前記ロック部との間に前記解除操作部を備える（請求項８）。
【００２３】
好適な実施の一形態として、前記ロックアームが、前記外側パイプに対して着脱可能な態様とすることもできる（請求項９）。このようにすれば、前記ロックアームが破損した場合に、該ロックアームと同一構成のロックアームとの交換が可能となる。前記外側パイプはそのままで、ロックアームの単品交換のみで対応できるので、修理コストが安く済む。
【００２４】
好適な実施の一形態として、前記ロックアームが、前記外側パイプと一体に形成された一体ロックアームであり、前記外側パイプには、前記一体ロックアームに代わる交換ロックアームを取り付けるための取付部が形成される態様とすることもできる（請求項１０）。このようにすれば、前記一体ロックアームが破損した場合に、前記取付部を利用して前記交換ロックアームに交換できる。このため、前記外側パイプはそのまま使用することができ、修理コストが安く済む。
【発明を実施するための最良の形態】
【００２５】
以下、添付図面を参照して、本発明の実施の形態について説明する。
【００２６】
図１は、本発明の実施の一形態に係るパイプ連結構造を含むパワーブロワの使用状態を示す全体斜視図、図２は、図１中のパイプの非連結状態の拡大斜視図、図３は、ロックアーム収容部の内部の側面図、図４は、図２のＩＶ−ＩＶ矢視断面図、図５は、図２のパイプの連結過程の側面図、図６は、図２のパイプの抜け止め固定状態の側面図、図７は、図６のパイプ連結構造におけるパイプ取り外し時の側面図である。
【００２７】
図１のパワーブロワ１は、手持式のものであり、原動機としての小型の空冷式内燃エンジン３と、該内燃エンジン３で駆動される遠心式送風機４と、該送風機４の吐風口５に取り外し可能に連結される吐風パイプ６を備えている。また、前記パワーブロワ１には、前記内燃エンジン３と前記送風機４の結合体である機体７を作業者が片手で保持するためのハンドル８と、該ハンドル８を握った手の指で操作可能なスロットルトリガー９が取り付けられている。図１に示すように、作業者は、前記ハンドル８を片手で握って、前記スロットルトリガー９で前記内燃エンジン２の出力を制御しながら、前記吐風パイプ６から吹き出す高速気流Ｗにより、落ち葉Ｌ等の吹き寄せ作業をすることができる。
【００２８】
前記パワーブロワ１は、本発明の実施の一形態に係るパイプ連結構造１０を備えている。具体的には、該パイプ連結構造１０は、前記吐風口５を有するファンケースパイプ１１と前記吐風パイプ６との連結部に適用されている。但しこれは説明の都合上の一例であり、本発明に係るパイプ連結構造は、様々な装置におけるパイプ連結部について適用できることは勿論である。
【００２９】
図２に示すように、前記遠心式送風機３のファンケース１２には、前記ファンケースパイプ１１が一体に形成されており、該ファンケースパイプ１１の先端開口が前記吐風口５となっている。前記ファンケース１２は、左右の半体を合わせ面で接合してボルト１３で互いに連結固定して形成される。前記ファンケースパイプ１１は、前記左右の半体のそれぞれに含まれる左右の半円筒部１１Ｌ，１１Ｒの組み合わせにより形成される。
【００３０】
本実施の形態では、前記ファンケースパイプ１１が外側パイプ、前記吐風パイプ６が内側パイプとされ、前記ファンケースパイプ１１の前端部１１ｆ内に前記吐風パイプ６の後端部６ｒが嵌め込まれて抜け止め固定される。
【００３１】
内側パイプである前記吐風パイプ６には、係合突起１４と、楔状突起１５と、案内凸条１６が配設されている。前記吐風パイプ６はプラスチック製である。
【００３２】
前記係合突起１４は、前記吐風パイプ６の連結側端部６ｒの外周面の下面に一体形成されている。前記係合突起１４の反嵌め込み方向側の面は係合受部１７であり、前記吐風パイプ６の軸線Ｘに対して直角な面とされている。これは、後で述べるロックアーム１８との係合を確実なものとするためである。一方、前記係合突起１４の嵌め込み方向側の面は、パイプ６，１１同士の嵌め込み時に前記ロックアーム１８を押し退け易いように、傾斜面１９とされている。
【００３３】
前記楔状突起１５は、前記吐風パイプ６の下面に形成されている。該楔状突起１５は、前記係合突起１４よりも前記吐風パイプ６の吐風先端部側の位置に配設されている。前記楔状突起１５は、前記吐風パイプ６と前記ファンケースパイプ１１の連結時に、該ファンケースパイプ１１の内面に当接して、前記両パイプ６，１１間の径方向及び軸線方向の遊びをなくする作用を奏する。
【００３４】
前記案内凸条１６は、前記吐風パイプ６の左右両側に形成され、該吐風パイプ６の軸線Ｘ方向に延びている。
【００３５】
一方、外側パイプである前記ファンケースパイプ１１には、案内溝２０と、係合突起受入溝２１と、箱状のロックアーム収容部２２が配設されている。前記ファンケースパイプ１１も、前記吐風パイプ６と同じくプラスチック製である。
【００３６】
前記案内溝２０は、前記ファンケースパイプ１１の左右両側に形成され、該ファンケースパイプ１１の軸線Ｘ方向に延びている。前記案内溝２０は、前記吐風パイプ６の前記案内凸条１６と互いに適合する。前記案内溝２０と前記案内凸条１６は、二つの作用を奏する。一つ目の作用は、前記ファンケースパイプ１１への前記吐風パイプ６の軸線Ｘ方向の嵌め込みを確実に案内することであり、二つ目の作用は、前記両パイプ６，１１の嵌め込み状態での前記軸線Ｘの周りでの相対回動を規制することである。
【００３７】
前記係合突起受入溝２１は、前記ファンケースパイプ１１の下部に形成され、該ファンケースパイプ１１の軸線Ｘ方向に延びている。前記係合突起受入溝２１は、前記ファンケースパイプ１１への前記吐風パイプ６の嵌め込み時に前記係合突起１４を受け入れる。したがって、該係合突起１４と前記係合突起受入溝２１は、前記案内凸条１６と前記案内溝２０の組み合わせと同様の二つの作用を奏する。
【００３８】
前記ロックアーム収容部２２は、前記ファンケースパイプ１１の下部に一体に形成され、前記ファンケースパイプ１１の軸線Ｘ方向に延びている。前記ロックアーム収容部２２の中空の内部は、前記係合突起受入溝２１に連通している。前記ロックアーム収容部２２は、前記左右の半円筒部１１Ｌ，１１Ｒの下部に一体に形成される左右の箱半体２２Ｌ，２２Ｒの組み合わせにより形成される。前記ロックアーム収容部２２の中には、前記ファンケース１２の組み立て時に、前記ロックアーム１８が配設される。
【００３９】
図３に示すように、本実施の形態では、前記ロックアーム１８は、ロック部２３と解除操作部２４と枢支軸部２５と弾性復帰アーム部２６を備える。前記ロック部２３は、前記ロックアーム１８のファンケース側端部に形成され、前記解除操作部２４は、その反対側の端部に形成される。前記枢支軸部２５は、前記ロック部２３と前記解除操作部２４の間に形成される。前記枢支軸部２５は、前記ファンケースパイプ１１の軸線Ｘと直交する方向且つ左右の水平方向に延び出しており、図４に示すように、前記ロックアーム収容部２２の前記左右の箱半体２２Ｌ，２２Ｒに回動自在に支持される。
【００４０】
図３に示すように、前記弾性復帰アーム部２６は、前記ロック部２３との間に角度を付けて、前記枢支軸部２５から前記ファンケース１２側へ向けて延び出している。前記弾性復帰アーム部２６の下面２７は、前記ロックアーム収容部２２の内底面２９に常時当接している。前記弾性復帰アーム部２６は、その弾性により、前記ロック部２３及び前記解除操作部２４を図３に実線で示すロック時位置に保持する。前記ロックアーム１８は、プラスチック又は金属で形成する。
【００４１】
図２及び図３に示すように、前記ロックアーム収容部２２には、工具挿通孔２８が貫通形成されている。該工具挿通孔２８は、前記ロックアーム１８の前記枢支軸部２５と平行に延びている。前記ロックアーム１８の前記解除操作部２４は、前記ファンケースパイプ１１を左右側方から見て、前記工具挿通孔２８内に突出している。前記ロックアーム１８が図３に実線で示すロック時位置にあるときに、前記解除操作部２４の下面３０と前記工具挿通孔２８の内面３１との間の隙間は、前記工具挿通孔２８に挿通されるねじ回し等の棒状工具３２（図７参照）の外径より小さく設定される。このため、前記工具挿通孔２８に前記棒状工具３２を挿通すると、該棒状工具３２の外周面によって前記解除操作部２４が上方へ押し上げられる。これにより、前記枢支軸部２５を中心として前記ロック部２３が下方へと回動し、前記ロック部２３と前記係合突起１４の前記係合受部１７との係合状態が解除される。前記棒状工具３２を前記工具挿通孔２８から抜き取ると、前記弾性復帰アーム部２６の弾性で前記ロックアーム１８が前記ロック時位置へと復帰する。
【００４２】
図５〜図７を参照して、本実施の形態の作用について説明する。図５〜図７では、前記ロックアーム１８の動きが分かるように、図３と同様に、前記ロックアーム収容部２２の内部が開示されている。
【００４３】
前記ファンケースパイプ１１と前記吐風パイプ６の連結作業は、次のように行われる。まず、図２に示すように、前記係合突起受入溝２１と前記係合突起１４の位置、及び、前記案内溝２０と前記案内凸条１６の位置を合わせて、前記ファンケースパイプ１１の前端部１１ｆ内に前記吐風パイプ６の後端部６ｒを軸線Ｘ方向に嵌め込む。
【００４４】
この嵌め込み過程において、前記係合突起１４は、図５に示すように、前記ロックアーム１８の前記ロック部２３を前記ロック時位置からその下方へと押し退けながら、前記係合突起受入溝２１内を前記ファンケースパイプ１１の内奥へ向かって移動する。
【００４５】
前記吐風パイプ６を一杯まで嵌め込むと、前記係合突起１４が前記ロック部２３を通過し、図６に示すように、前記弾性復帰アーム部２６の弾性により、前記ロック部２３が前記ロック時位置に復帰して前記係合受部１７に係合する。これにより、前記吐風パイプ６が前記ファンケースパイプ１１に対して抜け止め固定される。同時に、前記楔状突起１５が前記ファンケースパイプ１１の内面に押圧されて、前記両パイプ６，１１間の径方向の遊びと軸線Ｘ方向の遊びがなくなる。これにより、抜け止め固定状態における前記パイプ６，１１間のガタつきもなくなる。
【００４６】
前記吐風パイプ６の取り外し作業は、次のように行われる。図７に示すように、ねじ回し等の棒状工具３２を前記工具挿通孔２８に挿し込む。これにより、前記棒状工具３２で前記解除操作部２４が上方へと押され、前記枢支軸部２５を中心として前記ロックアーム１８が回動し、前記係合受部１７に対する前記ロック部２３の係合状態が解除される。そこで、前記ファンケースパイプ１１から前記吐風パイプ６を引き抜けばよい。
【００４７】
前記工具挿通孔２８への前記棒状工具３２の挿通により、前記係合受部１７に対する前記ロック部２３の係合状態が解除された状態において、前記弾性復帰アーム部２６の弾性により、前記解除操作部２４の下面３０と前記工具挿通孔２８の内面３１との間で前記棒状工具３２が手放し状態で保持される。このため、作業者は、前記棒状工具３２から手を離して、両手で前記吐風パイプ６の抜き取りを行うことができる。よって、前記吐風パイプ６の抜き取りが簡単且つ確実に行える。
【００４８】
前記棒状工具３２の手放し状態での保持を一層確実なものとするため、図３及び図７に示すように、前記棒状工具３２に接する前記解除操作部２４の前記下面３０に、前記棒状工具３２を受け入れる窪みを形成すると好適である。前記解除操作部２４の前記下面３０に代えて、又はそれと共に、前記工具挿通孔２８の内面に、棒状工具受入用の窪みを形成することもできる。
【００４９】
本実施の形態によれば、前記両パイプ６，１１の位置を合わせて軸線Ｘ方向に嵌め込むだけで、それら相互の連結及び抜け止め固定が完了する。よって、連結作業が容易である。
【００５０】
また、前記吐風パイプ６の取り外しは、工具を用いて意図的に行わなければなし得ない。よって、送風作業中等に前記吐風パイプ６が不測に外れる心配がない。しかも、棒状工具３２を前記工具挿通孔２８に挿し込むだけでロック状態が解除されるので、解除時の操作性もよい。
【００５１】
さらに、前記吐風パイプ６の抜け止め固定にねじ類は不要である。よって、ねじ類の紛失や付け忘れ等の問題が全くない。
【００５２】
万一前記ロックアーム１８が破損したとしても、前記ロックアーム収容部２２を開いてロックアーム単品の交換を行えばよいので、前記両パイプ６，１１の継続使用を妨げない。
【００５３】
なお、本実施の形態では、前記ファンケースパイプ１１を外側パイプ、前記吐風パイプ６を内側パイプとし、前記ファンケースパイプ１１の前端部１１ｆ内に前記吐風パイプ６の後端部６ｒを嵌め込んで抜け止め固定する態様を説明した。しかし、これとは逆に、前記ファンケースパイプ１１を内側パイプとし、前記吐風パイプ６を外側パイプとしてもよいことは勿論である。この場合、前記ファンケースパイプ１１に配設される前記構成要素を外側パイプとなる吐風パイプに配設し、前記吐風パイプ６に配設される前記構成要素を内側パイプとなるファンケースパイプに配設すればよい。
【００５４】
次に、図８〜図１２を参照して、本発明の他の実施の形態を説明する。
【００５５】
図８は、本発明の他の実施の形態に係るパイプ連結構造の側面図、図９は、図８のＩＸ−ＩＸ矢視拡大断面図、図１０は、図８の縦断面拡大図、図１１は、本発明のさらに他の実施の形態に係るパイプ連結構造の断面図、図１２は、本発明のさらに別の実施の形態に係るパイプ連結構造の断面図である。
【００５６】
図８の実施の形態では、ファンケースパイプ１１と吐風パイプ６の間に、抜け止め固定状態における相互間の軸線方向の遊びをなくする弾性押し返し部３３が配設されている。該弾性押し返し部３３により、前記吐風パイプ６が反嵌め込み方向に付勢される。
【００５７】
具体的には、図９に示すように、前記案内溝２０と前記案内凸条１６を利用して、前記弾性押し返し部３３を構成することができる。すなわち、図９に示すように、前記吐風パイプ６の前記案内凸条１６の嵌め込み方向の先端部を、前記ファンケースパイプ１１の中心方向へ傾斜した傾斜面３４とする。そして、前記ファンケースパイプ１１の前記案内溝２０の奥壁部３３が、前記傾斜面３４を押し返す前記弾性押し返し部とされる。前記奥壁部３３は、図８に示すように、前記ファンケースパイプ１１の内奥側の辺３５のみで前記ファンケースパイプ１１と弾性的に連結されている。このため、前記ファンケースパイプ１１に前記吐風パイプ６を嵌め込むと、図９に示すように、前記ロック部が前記係合受部に係合すると同時に前記奥壁部３３が前記傾斜面３４を弾性的に押し返す。これにより、前記ロック部と前記係合突起との接触圧が高まるとともに、抜け止め固定状態における前記パイプ６，１１相互間の軸線方向の遊びがなくなる。よって、前記パイプ６，１１相互間の軸線方向のガタつきがなくなる。
【００５８】
前記弾性押し返し部３３は、前記楔状突起１５の代わりに設けてもよいし、該楔状突起１５と共に設けてもよい。
【００５９】
なお、前記ファンケースパイプ１１の内奥部の内径を内奥方向へ向けて漸減する内テーパー形状とし、このテーパー部３６（図９参照）に前記吐風パイプ６の内端部を押し戻す作用を持たせた上で、さらに前記弾性押し返し部３３を設けることとすれば、軸線方向のガタつきの解消効果が尚一層向上して好適である。
【００６０】
次に、図１０の実施の形態は、前記ロックアーム１８に代わる他の態様のロックアーム３７を含み、該ロックアーム３７に対応して、ファンケースパイプ１１に一体に形成されるロックアーム収容部３８の構成も、図２のものと若干異なっている（図８参照）。
【００６１】
図１０のロックアーム３７は、図３の前記ロックアーム１８と異なり、枢支軸部を持たない。その代わりに、図１０のロックアーム３７は、前記ロックアーム収容部３８に片持ち状に支持される片持ち支持部３９を一端部側に備える。そして、垂直に立ち上がった他端部がロック部４０とされ、前記片持ち支持部３９と前記ロック部４０との間に、前記片持ち支持部３９側から順に、弾性部４１と解除操作部４２を備える。前記ロックアーム３７は、前記ロックアーム収容部３８の前部のロックアーム支持部４３に片持ち状に支持され、前記ロック部４０は、前記片持ち支持部３９よりも前記ファンケースパイプ１１の内奥側に位置する。
【００６２】
図１０の実施の形態において、前記ファンケースパイプ１１の前端部１１ｆ内に前記吐風パイプ６の後端部６ｒを嵌め込むと、該吐風パイプ６の係合突起１４がその傾斜面１９で前記ロック部４０を下方へと押し退けながら、前記ファンケースパイプ１１の内奥へ向かって移動する。前記吐風パイプ６を一杯まで嵌め込むと、前記係合突起１４が前記ロック部４０を通過し、前記弾性部４１の弾性により、前記ロック部４０が前記係合突起１４の係合受部１７に係合する。これにより、前記吐風パイプ６が前記ファンケースパイプ１１に対して抜け止め固定される。 
図８に示すように、前記ロックアーム収容部３８には、工具挿通孔４４が形成されている。該工具挿通孔４４は、前記ファンケースパイプ１１の軸線と直角な水平方向に前記ロックアーム収容部３８を貫通している。
【００６３】
図１０に示すように、前記ロックアーム３７の前記解除操作部４２は、前記ファンケースパイプ１１を左右側方から見て、前記工具挿通孔４４内に突出している。前記解除操作部４２の上面４５と前記工具挿通孔４４の内面４６との間の隙間は、前記工具挿通孔４４に挿通されるねじ回し等の棒状工具の外径より小さく設定される。このため、前記工具挿通孔４４に前記棒状工具を挿通すると、前記弾性部４１が備わっていることから、前記棒状工具の外周面によって前記解除操作部４２が下方へ押し下げられる。これにより、前記ロック部４０が下方へと揺動し、該ロック部４０と前記係合受部１７との係合が解除される。前記棒状工具を前記工具挿通孔４４から抜き取ると、前記弾性部４１の弾性で前記ロック部４０が元の位置へと復帰する。
【００６４】
図１０の実施の形態においても、前記工具挿通孔４４への前記棒状工具の挿通により、前記係合突起１４に対する前記ロック部４０の係合状態が解除された状態において、前記弾性部４１の弾性により、前記解除操作部４２と前記工具挿通孔４４の内面４６との間で、前記棒状工具が手放し状態で保持される。このため、作業者は、前記棒状工具から手を離して、両手で前記吐風パイプ６の抜き取りを行うことができる。よって、前記吐風パイプ６の抜き取りが簡単且つ確実に行える。
【００６５】
次に、図１１の実施の形態は、図１０のものに類似するロックアーム４７を図１０とは逆向きに配設した態様である、また、図１０の実施の形態は、前記係合突起１４に代えて係合凹部４８を備えている。
【００６６】
図１１のロックアーム４７は、ファンケースパイプ１１に片持ち状に支持される片持ち支持部４９を一端部側に備える。そして、垂直に立ち上がった他端部がロック部５０とされ、前記片持ち支持部４９と前記ロック部５０との間に、前記片持ち支持部４９側から順に、弾性部５１と解除操作部５２を備える。前記ロックアーム４７は、前記ファンケースパイプ１１に一体に形成されたロックアーム収容部５３の内部のロックアーム支持部５４に片持ち状に支持され、前記ロック部５０は、図１１の例とは逆に、前記片持ち支持部４９よりも前記ファンケースパイプ１１の出口開口側に位置する。また、前記ロックアーム４７においては、前記ロック部５０における前記ファンケースパイプ１１の出口開口側の面が、吐風パイプ６の嵌め込み時に該吐風パイプ６によって押し退けられ易いように、傾斜面５５とされている。
【００６７】
前記ファンケースパイプ１１に嵌め込まれる吐風パイプ６には、前記係合凹部４８が形成されている。該係合凹部４８には、前記ロック部５０が係合する。前記係合凹部４８の嵌め込み方向側の面が係合受部５６である。
【００６８】
図１１の実施の形態において、前記ファンケースパイプ１１の前端部１１ｆ内に前記吐風パイプ６の後端部６ｒを嵌め込むと、該吐風パイプ６がその外周面で前記ロック部５０を下方へと押し退けながら、前記ファンケースパイプ１１の内奥へ向かって移動する。前記吐風パイプ６を一杯まで嵌め込むと、前記係合受部５６が前記ロック部５０を通過し、前記弾性部５１の弾性により、前記ロック部５０が前記係合凹部４８内に突入する。そして、前記ロック部５０と前記係合受部５６との係合により、前記吐風パイプ６が前記ファンケースパイプ１１に対して抜け止め固定される。
【００６９】
この実施の形態においても、前記ロックアーム収容部５３に、工具挿通孔５７が形成される。該工具挿通孔５７は、前記ファンケースパイプ１１の軸線と直角な水平方向に前記ロックアーム収容部５３を貫通している。前記ロックアームの前記解除操作部５２は、前記ファンケースパイプ１１を左右側方から見て、前記工具挿通孔５７内に突出している。前記解除操作部５２の上面５８と前記工具挿通孔５７の内面５９との間の隙間は、前記工具挿通孔５７に挿通されるねじ回し等の棒状工具の外径より小さく設定される。このため、前記工具挿通孔５７に棒状工具を挿通すると、前記弾性部５１が備わっていることから、該棒状工具の外周面によって前記解除操作部５２が下方へ押し下げられる。これにより、前記ロック部５０が下方へと揺動し、前記ロック部５０と前記係合受部５６との係合が解除される。前記棒状工具を前記工具挿通孔５７から抜き取ると、前記弾性部５１の弾性で前記ロック部５０が元の位置へと復帰する。
【００７０】
図１１の実施の形態においても、前記工具挿通孔５７への棒状工具の挿通により、前記係合受部５６に対する前記ロック部５０の係合状態が解除された状態において、前記弾性部５１の弾性により、前記解除操作部５２の前記上面５８と前記工具挿通孔５７の前記内面５９との間で前記棒状工具が手放し状態で保持される。このため、作業者は、前記棒状工具から手を離して、両手で前記吐風パイプ６の抜き取りを行うことができ、前記吐風パイプの抜き取りが簡単且つ確実に行える。
【００７１】
次に、図１２の実施の形態は、前記ロックアーム１８，３７，４７に代わる他の態様のロックアーム６０を含み、該ロックアーム６０に対応して、ファンケースパイプ１１に一体に形成されるロックアーム収容部６１の構成も、前記実施の形態のものと異なっている。前記ファンケースパイプ１１に嵌め込まれる吐風パイプ６は、図２のものと同じである。
【００７２】
図１２のロックアーム６０は、図３の前記ロックアーム１８と異なり、枢支軸部を持たない。この点は、図１０、図１１のロックアーム３７，４７と同じである。図１２のロックアーム６０は、二本の腕部６２，６３の間に弾性折り返し部６４を有するＵ字状又はＶ字状に形成される。そして、一方の腕部である下側腕部６２が、前記外側パイプ１１に一体に形成された前記ロックアーム収容部６１に支持され、他方の腕部である上側腕部６３の先端部がロック部６５とされる。さらに、前記ロックアーム６０は、前記弾性折り返し部６４と前記ロック部６５との間に解除操作部６６を備える。
【００７３】
前記ロックアーム収容部６１は、前記ロックアーム６０の前記下側腕部６２が載置される内底面部６７と、前記弾性折り返し部６４を受け入れる受入凹部６８を備える。前記内底面部６７には、前記下側腕部６２の端部を受け止めてその軸線方向への移動を阻止するストッパ６９が配設される。前記受入凹部６８は、前記ファンケースパイプ１１の軸線X方向に沿って吐風方向の前方へ延びている。前記受入凹部６８の配設位置は、前記ストッパ６９よりも前記ファンケースパイプ１１の前端部１１ｆ側とされる。前記ロックアーム収容部６１には、工具挿通孔７０が形成されている。該工具挿通孔７０は、前記ファンケースパイプ１１の軸線Xと直角な水平方向に前記ロックアーム収容部６１を貫通している。前記ロックアーム６０の前記解除操作部６６は、前記ファンケースパイプ１１を左右側方から見て、前記工具挿通孔７０内に突出している。
【００７４】
図１２の実施の形態において、前記ファンケースパイプ１１の前端部１１ｆ内に前記吐風パイプ６の後端部６ｒを嵌め込むと、該吐風パイプ６の係合突起１４がその傾斜面１９で前記ロック部６５を下方へと押し退けながら、前記ファンケースパイプ１１の内奥へ向かって移動する。前記吐風パイプ６を一杯まで嵌め込むと、前記係合突起１４が前記ロック部６５を通過し、前記弾性折り返し部６４の弾性により、前記ロック部６５が前記係合突起１４の係合受部１７に係合する。これにより、前記吐風パイプ６が前記ファンケースパイプ１１に対して抜け止め固定される。
【００７５】
既に述べたように、前記ロックアーム６０の前記解除操作部６６は、前記ファンケースパイプ１１を左右側方から見て、前記工具挿通孔７０内に突出している。そして、前記解除操作部６６の上面７１と前記工具挿通孔７０の内面７２との間の隙間は、前記工具挿通孔７０に挿通されるねじ回し等の棒状工具の外径より小さく設定される。このため、前記工具挿通孔７０に前記棒状工具を挿通すると、前記弾性折り返し部６４の弾性により、前記棒状工具の外周面によって前記解除操作部６６が下方へ押し下げられる。これにより、前記ロック部６５が下方へと揺動し、該ロック部６５と前記係合受部１７との係合が解除される。このため、前記ファンケースパイプ１１から前記吐風パイプ６を取り外すことが可能となる。前記棒状工具を前記工具挿通孔７０から抜き取ると、前記弾性折り返し部６４の弾性で前記ロック部６５が元のロック時位置へと復帰する。
【００７６】
図１２の実施の形態においても、前記工具挿通孔７０への前記棒状工具の挿通により、前記係合突起１４に対する前記ロック部６５の係合状態が解除された状態において、前記弾性折り返し部６４の弾性により、前記解除操作部６６と前記工具挿通孔７０の内面７２との間で、前記棒状工具が手放し状態で保持される。このため、作業者は、前記棒状工具から手を離して、両手で前記吐風パイプ６の抜き取りを行うことができる。よって、前記吐風パイプ６の抜き取りが簡単且つ確実に行える。
【００７７】
本発明の他の実施の形態として、図１３及び図１４に示すものも採用できる。図１３は、本発明の他の実施の形態に係るパイプ連結構造の断面図、図１４は、本発明のさらに他の実施の形態に係るパイプ連結構造の断面図である。
【００７８】
図１３の実施の形態は、前記ロックアーム１８，３７，４７，６０に代わる他の態様のロックアーム８０を含み、該ロックアーム８０に対応して、ファンケースパイプ１１に一体に形成されるロックアーム収容部８１の構成も、前記実施の形態のものと異なっている。前記ファンケースパイプ１１に嵌め込まれる吐風パイプ６は、図２のものと同じである。
【００７９】
既に述べた前記ロックアーム１８，３７，４７，６０は、前記ファンケースパイプ１１とは別部品として形成されている。このため、前記ロックアーム１８，３７，４７，６０は前記ファンケースパイプ１１に対して着脱可能であり、前記ロックアーム１８，３７，４７，６０が破損した場合には、該ロックアーム１８，３７，４７，６０自体を交換することができる。
【００８０】
これに対し、図１３の前記ロックアーム８０は、外側パイプとしてのプラスチック製の前記ファンケースパイプ１１に一体に形成される。該ファンケースパイプ１１は、図２に示したものと同様に、左右の半円筒部１１Ｌ，１１Ｒの組み合わせにより形成され、前記ロックアーム収容部８１も、図２に示したものと同様に、前記左右の半円筒部１１Ｌ，１１Ｒの下部に一体に形成される左右の箱半体２２Ｌ，２２Ｒの組み合わせにより形成される。図１３のファンケースパイプ１１は、紙面手前側に位置する右側半円筒部１１Ｒを取り外した状態である。
【００８１】
図１３の前記ロックアーム８０は、その基部８２が前記ロックアーム収容部８１に一体に形成され、垂直に立ち上がった先端部がロック部８３とされる。該ロック部８３は、前記基部８２よりも前記ファンケースパイプ１１の内奥側に位置する。そして、前記基部８２と前記ロック部８３との間に、前記基部８２側から順に、弾性部８４と解除操作部８５を備える。
【００８２】
図１３の実施の形態において、前記ファンケースパイプ１１の前端部１１ｆ内に前記吐風パイプ６の後端部６ｒを嵌め込むと、該吐風パイプ６の係合突起１４がその傾斜面１９で前記ロック部８３を下方へと押し退けながら、前記ファンケースパイプ１１の内奥へ向かって移動する。前記吐風パイプ６を一杯まで嵌め込むと、前記係合突起１４が前記ロック部８３を通過し、前記弾性部８４の弾性により、前記ロック部８３が前記係合突起１４の係合受部１７に係合する。これにより、前記吐風パイプ６が前記ファンケースパイプ１１に対して抜け止め固定される。 
前記ロックアーム収容部８１には、工具挿通孔８６が形成されている。該工具挿通孔８６は、前記ファンケースパイプ１１の軸線Xと直角な水平方向に前記ロックアーム収容部８１を貫通している。
【００８３】
前記ロックアーム８０の前記解除操作部８５は、前記ファンケースパイプ１１を左右側方から見て、前記工具挿通孔８６内に突出している。前記解除操作部８５の上面８７と前記工具挿通孔８６の内面８８との間の隙間は、前記工具挿通孔８６に挿通されるねじ回し等の棒状工具（図７の符号３２参照）の外径より小さく設定される。このため、前記工具挿通孔８６に前記棒状工具を挿通すると、前記弾性部８４が備わっていることから、前記棒状工具の外周面によって前記解除操作部８５が下方へ押し下げられる。これにより、前記ロック部８３が下方へと揺動し、該ロック部８３と前記係合受部１７との係合が解除される。前記棒状工具を前記工具挿通孔８６から抜き取ると、前記弾性部８４の弾性で前記ロック部８３が元の位置へと復帰する。
【００８４】
図１３の実施の形態においても、前記工具挿通孔８６への前記棒状工具の挿通により、前記係合突起１４に対する前記ロック部８３の係合状態が解除された状態において、前記弾性部８４の弾性により、前記解除操作部８５と前記工具挿通孔８６の内面８８との間で、前記棒状工具が手放し状態で保持される。このため、作業者は、前記棒状工具から手を離して、両手で前記吐風パイプ６の抜き取りを行うことができる。よって、前記吐風パイプ６の抜き取りが簡単且つ確実に行える。
【００８５】
ところで、図１３の実施の形態では、前記ロックアーム８０と前記ファンケースパイプ１１が、プラスチックによる一体成形品であるため、組み付け工数を要さず製造コスト面では有利となる一方、前記ロックアーム（一体ロックアーム）８０が折れたりして破損してしまうと、前記ファンケースパイプ１１を交換することが必要となってしまい、修理コスト面では不利である。
【００８６】
そこで、図１３の実施の形態には、前記問題点を解決するための手段が含められている。すなわち、外側パイプとしての前記ファンケースパイプ１１に、前記一体ロックアーム８０に代わる交換ロックアーム９０（図１４参照）を取り付けるための取付部９１が形成されている。該取付部９１は、前記一体ロックアーム８０の前記基部８２の近傍に形成された嵌合凹部９２と、前記交換ロックアーム９０の弾性変形の支え部９３である。
【００８７】
図１４に示すように、前記一体ロックアーム８０が破損してしまった場合には、前記ロックアーム収容部８１を開いて、前記一体ロックアーム８０を除去し、前記取付部９１に前記交換ロックアーム９０を取り付ける。前記一体ロックアーム８０の破損箇所が前記ロック部８３であるような場合には、前記交換ロックアーム９０の取付けの邪魔になるので、前記一体ロックアーム８０をその基部８２から除去する。
【００８８】
前記嵌合凹部９２には、前記交換ロックアーム９０の基部に形成された嵌合部９４が適合状態で嵌まり込む。前記交換ロックアーム９０は、前記嵌合部９４を前記嵌合凹部９２に嵌合した状態において、前記支え部９３に支持されて前記一体ロックアーム８０と同様の作用を奏する。すなわち、前記交換ロックアーム９０は、垂直に立ち上がった先端部がロック部９５とされ、前記嵌合部９４と前記ロック部９５との間に、前記嵌合部９４側から順に、弾性部９６と解除操作部９７を備える。該解除操作部９７は、前記ファンケースパイプ１１を左右側方から見て、前記工具挿通孔８６内に突出して位置する。前記解除操作部９７の上面９８と前記工具挿通孔８６の内面８８との間の隙間は、前記工具挿通孔８６に挿通される前記棒状工具の外径より小さく設定される。
【００８９】
したがって、前記ファンケースパイプ１１に前記吐風パイプ６を連結するときにも、また、前記ファンケースパイプ１１から前記吐風パイプ６を抜き取るときも、前記交換ロックアーム９０は、前記一体ロックアーム８０と全く同一の作用を奏する。したがって、前記一体ロックアーム８０が破損したとしても、前記ファンケースパイプ１１を交換する必要がなく、修理コストが節約できる。
【００９０】
前記交換ロックアーム９０が破損した場合には、前記ロックアーム収容部８１を開いて、破損した交換ロックアームを除去し、前記取付部９１に新たな交換ロックアームを取り付ければよい。
【００９１】
なお、前記取付部９１及び前記交換ロックアーム９０の具体的な形状は、図１３及び図１４のものには限定されないことは勿論である。他の実施の形態として、例えば、図１２に示したような形状の交換ロックアームとすることもできる。この場合には、前記取付部の形状も、図１２の交換ロックアームの形状に対応する形状とすることは言うまでもない。
【図面の簡単な説明】
【００９２】
【図１】本発明の実施の一形態に係るパイプ連結構造を含むパワーブロワの使用状態を示す全体斜視図である。
【図２】図１中のパイプの非連結状態の拡大斜視図である。
【図３】ロックアーム収容部の内部の側面図である。
【図４】図２のＩＶ−ＩＶ矢視断面図である。
【図５】図２のパイプの連結過程の側面図である。
【図６】図２のパイプの抜け止め固定状態の側面図である。
【図７】図６のパイプ連結構造におけるパイプ取り外し時の側面図である。
【図８】本発明の他の実施の形態に係るパイプ連結構造の側面図である。
【図９】図８のＩＸ−ＩＸ矢視拡大断面図である。
【図１０】図８の縦断面拡大図である。
【図１１】本発明のさらに他の実施の形態に係るパイプ連結構造の断面図である。
【図１２】本発明のさらに別の実施の形態に係るパイプ連結構造の断面図である。
【図１３】本発明の他の実施の形態に係るパイプ連結構造の断面図である。
【図１４】本発明のさらに他の実施の形態に係るパイプ連結構造の断面図である。
【符号の説明】
【００９３】
６      内側パイプ（吐風パイプ）
６ｒ    内側パイプの端部（吐風パイプの後端部）
１０    パイプ連結構造
１１    外側パイプ（ファンケースパイプ）
１１ｆ  外側パイプの端部（ファンケースパイプの前端部）
１５    楔状突起
１６    案内凸状
１７    係合受部
１８    ロックアーム
２０    案内溝
２３    ロック部
２４    解除操作部
２５    枢支軸部
２６    弾性復帰アーム部
２８    工具挿通孔
３１    工具挿通孔の内面
３２    棒状工具
３３    弾性押し返し部（案内溝の奥壁部）
３４    傾斜面
３７    ロックアーム
３９    片持ち支持部
４０    ロック部
４１    弾性部
４２    解除操作部
４４    工具挿通孔
４６    工具挿通孔の内面
４７    ロックアーム
５０    ロック部
５１    弾性部
５２    解除操作部
５６    係合受部
５７    工具挿通孔
５９    工具挿通孔の内面
６０    ロックアーム
６２    腕部
６３    腕部
６４    弾性折り返し部
６５    ロック部
６６    解除操作部
７０    工具挿通孔
７２    工具挿通孔の内面
８０    ロックアーム（一体ロックアーム）
８３    ロック部
８５    解除操作部
８６    工具挿通孔
８８    工具挿通孔の内面
９０    ロックアーム（交換ロックアーム）
９１    取付部
９５    ロック部
９７    解除操作部
Ｘ      パイプの軸線
【図１】
2010078138.tif 000003
【図２】
2010078138.tif 000004
【図３】
2010078138.tif 000005
【図４】
2010078138.tif 000006
【図５】
2010078138.tif 000007
【図６】
2010078138.tif 000008
【図７】
2010078138.tif 000009
【図８】
2010078138.tif 000010
【図９】
2010078138.tif 000011
【図１０】
2010078138.tif 000012
【図１１】
2010078138.tif 000013
【図１２】
2010078138.tif 000014
【図１３】
2010078138.tif 000015
【図１４】
2010078138.tif 000016